(57)【要約】      （修正有）【課題】容器用蓋に対する人々の注目を大幅に向上させ、容器用蓋収集の楽しみを高め、効果的に資源の浪費を低減できる容器用蓋及びその容器用蓋を備える容器を提供する。【解決手段】蓋部と組立部を備える容器用蓋を提供する。蓋部は、内面と外面を有し、内面には容器口の雄ねじと噛み合う雌ねじが設けられる。組立部は、蓋部の外面を囲むように設けられる。組立部の上端面には複数のボスが設けられ、隣接する２つのボスは第１の間隔で離間し、下端面には複数のボスに対応する複数の凹孔が設けられ、側面全周には複数のリブ条及び／又は複数の凹溝が設けられ、同一側面における隣接するリブ条及び／又は凹溝は第２の間隔で離間する。容器用蓋は、組立部のボス及び／又は凹孔により他の容器用蓋又は知育玩具の凹孔及び／又はボスと上下に組み立てられ、組立部のリブ条及び／又は凹溝により他の容器用蓋又は知育玩具の凹溝及び／又はリブ条と側方向に組み立てられる。【選択図】図４Ａ
0003214932.tif 000002
【実用新案登録請求の範囲】
【請求項１】
蓋部と組立部を備える容器用蓋であって、
前記蓋部は、内面と外面を有し、前記内面には容器口の雄ねじと噛み合う雌ねじが設けられ、
前記組立部は、前記蓋部の外面を囲むように設けられ、前記組立部の上端面には複数のボスが設けられ、隣接する２つの前記ボスは第１の間隔で離間し、下端面には複数の前記ボスに対応する複数の凹孔が設けられ、側面全周には複数のリブ条及び／又は複数の凹溝が設けられ、同一側面における隣接する前記リブ条及び／又は前記凹溝は第２の間隔で離間し、
前記容器用蓋は、前記組立部のボス及び／又は凹孔により他の容器用蓋又は知育玩具の凹孔及び／又はボスと上下に組み立てられ、前記組立部のリブ条及び／又は凹溝により他の容器用蓋又は知育玩具の凹溝及び／又はリブ条と側方向に組み立てられる、ことを特徴とする容器用蓋。
【請求項２】
前記組立部は、薄肉の立方体、直方体、円柱、及び多角柱のうちのいずれか一つである、ことを特徴とする請求項１に記載の容器用蓋。
【請求項３】
隣接する２つの前記ボスの間の前記第１の間隔は２２〜２６ｍｍに設定され、前記ボスの直径は４．７〜５．１ｍｍであり、高さは２．０〜２．４ｍｍである、ことを特徴とする請求項２に記載の容器用蓋。
【請求項４】
同一側面における隣接する前記リブ条及び／又は前記凹溝の間の前記第２の間隔は１０〜１４ｍｍに設定される、ことを特徴とする請求項３に記載の容器用蓋。
【請求項５】
偽造防止部材をさらに備え、前記偽造防止部材は、前記蓋部の端面に沿って外部又は前方に延伸し、前記偽造防止部材の前記蓋部の端面と接合する位置には複数の環状溝が設けられ、前記偽造防止部材の内面には容器口の外円周面と係合する複数の突起が設けられる、ことを特徴とする請求項１〜４のいずれか一項に記載の容器用蓋。
【請求項６】
前記組立部は複数の補強リブをさらに備え、前記補強リブは前記蓋部と前記組立部との間に設けられる、ことを特徴とする請求項５に記載の容器用蓋
【請求項７】
蓋部と組立部を備える容器用蓋であって、
前記蓋部は、内面と外面を有し、前記内面には容器口の雄ねじと噛み合う雌ねじが設けられ、
前記組立部は、前記蓋部の外面を囲むように設けられ、複数の円柱体及び前記蓋部と前記複数の円柱体との間に設けられる複数の補強リブを備え、複数の前記円柱体と前記蓋部は同軸的に配置され、各円柱体の上端面にはボスが設けられ、下端面には前記ボスに対応する凹孔が設けられ、隣接する２つの円柱体の間には組立凹溝が形成され、  
前記容器用蓋は、前記組立部のボス及び／又は凹孔により他の容器用蓋又は知育玩具の凹孔及び／又はボスと上下に組み立てられ、前記組立部の組立凹溝により他の容器用蓋又は知育玩具の組立凹溝と側方向に組み立てられる、ことを特徴とする容器用蓋。
【請求項８】
前記組立部の円柱体は８個又は１０個設けられる、ことを特徴とする請求項７に記載の容器用蓋。
【請求項９】
偽造防止部材をさらに備え、前記偽造防止部材は、前記蓋部の端面に沿って外部又は前方に延伸し、前記偽造防止部材の前記蓋部の端面と接合する位置には複数の環状溝が設けられ、前記偽造防止部材の内面には容器口の外円周面と係合する複数の突起が設けられる、ことを特徴とする請求項８に記載の容器用蓋。
【請求項１０】
請求項１〜９のいずれか一項に記載の容器用蓋を備える容器。
【考案の詳細な説明】
【技術分野】
【０００１】
本考案は日用品に関し、特に容器用蓋及びその蓋を有する容器に関する。
【背景技術】
【０００２】
日常生活で使用される一般的な容器は、水、ゼリー、ミルク、ソースなどの様々な飲食品を収容するために使用することができ、また、歯磨き、化粧品などを収容することもできる。このような容器は、内容物を容器内に密封するために、一般的に、容器の口部の雄ねじと噛み合う容器用蓋を有する。内容物が使い尽くされた後、容器は、容積が大きく価値が高いため、リサイクルされ再使用され得る。一方、容器用蓋は、サイズが小さく、リサイクルに不都合であるため、通常廃棄され、環境汚染の原因となる。
【考案の概要】
【考案が解決しようとする課題】
【０００３】
上記事情に鑑み、本考案の目的は、収集する楽しみを増加させ、資源の浪費を低減することができる容器用蓋を提供することである。
【課題を解決するための手段】
【０００４】
本考案の第１の態様では、容器用蓋が提供される。この容器用蓋は、蓋部と組立部を備える。蓋部は、内面と外面を有し、上記内面には容器口の雄ねじと噛み合う雌ねじが設けられる。組立部は、蓋部の外面を囲むように設けられる。上記組立部の上端面には複数のボスが設けられ、隣接する２つの上記ボスは第１の間隔で離間し、下端面には複数のボスに対応する複数の凹孔が設けられ、側面全周には複数のリブ条及び／又は複数の凹溝が設けられ、同一側面において隣接する上記リブ条及び／又は上記凹溝は第２の間隔で離間される。上記容器用蓋は、上記組立部のボス及び／又は凹孔により他の容器用蓋又は知育玩具の凹孔及び／又はボスと上下に組み立てられ、上記組立部のリブ条及び／又は凹溝により他の容器用蓋又は知育玩具の凹溝及び／又はリブ条と側方向に組み立てられる。
【０００５】
上記組立部は、薄肉の立方体、直方体、円柱、多角柱のうちのいずれかであることが好ましい。
【０００６】
隣接する２つの前記ボスの間の前記第１の間隔は２２〜２６ｍｍに設定され、前記ボスの直径は４．７〜５．１ｍｍであり、高さは２．０〜２．４ｍｍであることが好ましい。隣接する２つの上記ボスの間の第１の間隔は２４ｍｍに設定され、上記ボスの直径は４．９ｍｍであり、高さ寸２．２ｍｍであることが、さらに好ましい。
【０００７】
同一側面における隣接する前記リブ条及び／又は前記凹溝の間の前記第２の間隔は１０〜１４ｍｍに設定されることが好ましい。同一側面における隣接する上記リブ条及び／又は上記凹溝の間の第２の間隔は１２ｍｍに設定されることが、さらに好ましい。
【０００８】
上記容器用蓋は偽造（盗難）防止部材をさらに備え、上記偽造防止部材は、上記蓋部の端面に沿って外部又は前方に延伸し、上記偽造防止部材の上記蓋部の端面と接合する位置には複数の環状溝が設けられ、上記偽造防止部材の内面には容器口の外雄ねじ面と係合する複数の突起が設けられることが好ましい。
【０００９】
上記組立部は複数の補強リブをさらに備え、上記補強リブは上記蓋部と上記組立部との間に設けられることが好ましい。
【００１０】
本考案の第２の態様によれば、蓋部と組立部を備える容器用蓋が提供される。
蓋部は、内面と外面を有し、上記内面には容器口の雄ねじと噛み合う雌ねじが設けられる。上記組立部は、上記蓋部の外面を囲むように設けられ、複数の円柱体及び上記蓋部と上記複数の円柱体との間に設けられる複数の補強リブを備える。複数の上記円柱体と上記蓋部は同軸的に配置され、各円柱体の上端面にはボスが設けられ、下端面には上記ボスに対応する凹孔が設けられ、隣接する２つの円柱体の間に組立凹溝が形成される。上記容器用蓋は、上記組立部のボス及び／又は凹孔により他の容器用蓋又は知育玩具の凹孔及び／又はボスと上下に組み立てられ、上記組立部の組立凹溝により他の容器用蓋又は知育玩具の組立凹溝と側方向に組み立てられる。
【００１１】
上記組立部の円柱体は８個又は１０個設けられることが好ましい。
【００１２】
上記容器用蓋は偽造（盗難）防止部材をさらに備え、上記偽造防止部材は、上記蓋部の端面に沿って外部又は前方に延伸し、上記偽造防止部材の上記蓋部の端面と接合する位置には複数の環状溝が設けられ、上記偽造防止部材の内面には容器口の外円周面と係合する複数の突起が設けられることが好ましい。
【００１３】
本考案の第３の態様によれば、上記のような容器用蓋を備える容器がさらに提供される。
【考案の効果】
【００１４】
本考案の容器用蓋は、他の容器用蓋又は知育玩具と組み立てることができ、容器用蓋に対する人々の注目を大幅に向上させ、容器用蓋の収集の楽しみを高め、効果的に資源の浪費を低減することができる。
【図面の簡単な説明】
【００１５】
本発明の更なる利点、特徴及び詳細については、添付の実用新案登録請求の範囲及び図面に基づく好ましい実施形態の説明によりさらに明確にする。
【図１Ａ】図１Ａは、本考案の第１の実施形態による容器用蓋の立体図である。
【図１Ｂ】図１Ｂは、本考案の第１の実施形態による容器用蓋の立体図である。
【図２】図２は、本考案の第１の実施形態による容器用蓋の組立寸法の模式図である。
【図３Ａ】図３Ａは、本考案の第１の実施形態による各種容器用蓋の立体図である。
【図３Ｂ】図３Ｂは、本考案の第１の実施形態による各種容器用蓋の立体図である。
【図３Ｃ】図３Ｃは、本考案の第１の実施形態による各種容器用蓋の立体図である。
【図３Ｄ】図３Ｄは、本考案の第１の実施形態による各種容器用蓋の立体図である。
【図４Ａ】図４Ａは、本考案の第１の実施形態による容器用蓋と他の知育玩具とを組み立てた後の立体図である。
【図４Ｂ】図４Ｂは、本考案の第１の実施形態による容器用蓋と他の知育玩具とを組み立てた後の立体図である。
【図５Ａ】図５Ａは、本考案の第２の実施形態による容器用蓋の立体図である。
【図５Ｂ】図５Ｂは、本考案の第２の実施形態による容器用蓋の立体図である。
【図５Ｃ】図５Ｃは、本考案の第２の実施形態による容器用蓋の立体図である。
【図６】図６は、本考案の第２の実施形態による容器用蓋の組立効果を示す立体図である。
【考案を実施するための形態】
【００１６】
以下に示す本考案の実施例の容器用蓋に対するさらに詳細な説明は、本質的には単に例示的なものであり、本考案又はその適用若しくは用途を限定するものではない。
【第１の実施形態】
【００１７】
図１Ａ及び１Ｂは、本考案の第１の実施形態による容器用蓋の立体図である。容器用蓋１００は蓋部１１０と組立部１２０を備える。
【００１８】
図１Ａ及び１Ｂに示されるように、蓋部１１０は、一般的に、薄肉円柱体又は薄肉円錐体として設けられ、内面と外面を有し、内面には容器口の雄ねじと噛み合う雌ねじ１１１が設けられる。蓋部１１０の上部内面にはガイド部がさらに設けられる。このガイド部は、雌ねじ１１１と同軸の薄肉円柱として設けられ、その外径が容器口の内部に収容可能であるため、ガイドの作用を果たすとともに、蓋部１１０の強度と剛性を向上させることができる。
【００１９】
組立部１２０は、蓋部１１０の外面を囲むように設けられ、その上端面には複数のボス１２１が設けられる。隣接する２つのボス１２１は第１の間隔Ｌ１離間して設置される。ボス１２１は、中実構造として設けられてもよく、中空構造として設けられてもよい。組立部１２０の下端面には、複数のボス１２１に対応する複数の凹孔１２２が設けられている。凹孔１２２の形状及び寸法は、対応するボス１２１を収容することができれば限定されない。１方の容器用蓋１００のボス１２１を他方の容器用蓋１００の凹孔１２２の内部に挿入して上下に組み立てることができる。組立部１２０の側面全周には複数のリブ条１２３及び／又は複数の凹溝１２４がさらに設けられ、同一側面の隣接するリブ条１２３及び／又は凹溝１２４は第２の間隔Ｌ２離間し、一方の容器用蓋１００のリブ条１２３を他方の容器用蓋１００の凹溝１２４内に嵌入して組み立てることができる。
【００２０】
図２は、本考案の一実施形態による容器用蓋の組立寸法の模式図である。
【００２１】
組立部の隣接する２つのボス１２１は第１の間隔Ｌ１離間し、同一側面における隣接するリブ条１２３及び／又は凹溝１２４は第２の間隔Ｌ２離間する。第１の間隔と第２の間隔はいずれも知育玩具に適合する組立寸法に設けられてもよい。例えば、隣接する２つのボス１２１間の第１の間隔はＬ１＝２４ｍｍに設定されてもよく、ボスの直径寸法はｄ＝４．９ｍｍに設定されてもよく、高さ寸法はｈ＝２．２ｍｍに設定されてもよい。図２に示されるように、同一側面における隣接するリブ条１２３及び／又は凹溝１２４間の第２の間隔は、Ｌ２＝１２ｍｍに設定されてもよい。
【００２２】
変形例では、上述した第１の間隔Ｌ１は２４ｍｍの整数倍としてもよく、ボスの直径ｄ及び高度ｈの寸法もこれに対応して倍増すると同時に、第２の間隔Ｌ２もこれに対応して倍増することができる。
【００２３】
組立部１２０は、薄肉の立方体、直方体、円柱、三角柱、六角柱又はそれ以外の多角柱のうちのいずれか一つであってもよい。なお、上記形状は、蓋部１１０を含む外観形状のことである。組立部１２０は複数の補強リブ１２５をさらに備える。補強リブ１２５は、蓋部１１０と組立部１２０との間に設けられ、容器用蓋１００の剛性と強度を向上させるとともに重量を軽減させる。また、容器用蓋を緩めるときに滑りを防止するために、組立部１２０の側面には複数の滑り防止リブ１２６がさらに設けられてもよい。
【００２４】
容器用蓋１００は偽造防止部材１３０をさらに備える。偽造防止部材１３０は、蓋部１１０の端面に沿って外部又は前方に延伸し、偽造防止部材１３０の蓋部１１０の端面と接合する位置には複数の環状溝１３１が設けられて、偽造防止部材１３０と容器用蓋１００との係合の強度を低下させる。図１Ｂに示されるように、偽造防止部材１３０の内面には、容器口の外円周面と係合する複数の突起１３２が設けられる。突起１３２は、雌ねじの螺合の向きに沿って薄くなる傾斜面を有してもよい。容器用蓋１００を緩めるとき、環状溝１３１で偽造防止部材１３０が切断されて容器口の外円周面に残ることによって、容器内の内容物の盗難を防止することができる。
【００２５】
以下、図３Ａ〜３Ｄの実施形態を参照しながら容器用蓋の構造を説明する。
【００２６】
容器用蓋１００Ａの組立部１２０Ａは薄肉三角柱であってもよく、その上端面の３つの角にはそれぞれ１つのボス１２１Ａが設けられてもよく、ボス１２１Ａに対応して下端面には３つの凹孔１２２Ａが設けられてもよい。図３Ａに示されるように、三角柱の各側面には２つのリブ条１２３Ａが設けられてもよく、２つの凹溝１２４Ａが設けられてもよい。或いは、１つのリブ条１２３Ａと１つの凹溝１２４Ａが設けられてもよい。リブ条１２３Ａ又は凹溝１２４Ａは、三角柱の各側面に対応して交互に設けられてもよい。
【００２７】
容器用蓋１００Ｂの組立部１２０Ｂは、薄肉立方体、直方体、六角柱又は八角柱であってもよい。図３Ｂに示されるように、例えば薄肉六角柱の場合、その上端面には第１の間隔Ｌ１離間する３つのボス１２１Ｂがそれぞれ設けられてもよく、下端面にはボス１２１Ｂに対応して３つの凹孔１２２Ｂが設けられてもよい。六角柱の各側面には２つのリブ条１２３Ａ又は２つの凹溝１２４Ｂが設けられてもよい。或いは、１つのリブ条１２３Ｂと１つの凹溝１２４Ｂが設けられてもよい。リブ条１２３Ｂ又は凹溝１２４Ｂは、さらに、六角柱の６つの側面に対応して交互に設けられてもよい。
【００２８】
図３Ｃに示されるように、容器用蓋１００Ｃの組立部１２０Ｃは薄肉円柱であってもよく、その上端面には４つのボス１２１Ｃが一定の間隔で均等に配置され、下端面にはボス１２１Ｃに対応して４つの凹孔１２２Ｃが設けられてもよい。組立部１２０Ｃの側面は円柱面であり、円柱面の円周方向に沿って複数のリブ条１２３Ａ又は複数の凹溝１２４Ａが設けられてもよい。或いは、リブ条１２３Ａと凹溝１２４Ａが交互に設けられてもよい。
【００２９】
図１Ｂ、３Ａ、３Ｂ及び３Ｃに示されるように、容器用蓋の組立部と蓋部の外部上面は同一平面上にあってもよい。このような容器用蓋の蓋部は、一般に小口径の寸法（例えば、８ｍｍ〜１５ｍｍ）に設計され、吸込ゼリー又はソースを収容する容器に適用することができる。
【００３０】
図３Ｄに示されるように、大口径の寸法（例えば、１５ｍｍ〜２５ｍｍ）を有する容器用蓋１００Ｄでは、その組立部１２０Ｄと蓋部１１０Ｄの外部上面には高低差があり、例えば、蓋部１１０Ｄの外部上面は組立部１２０Ｄの外部上面より低い。このような容器用蓋は、鉱泉水又は化粧品などを収容する容器に適用することができ、様々な容器の組み合わせ要求に適すると同時に容器用蓋全体の寸法をできるだけ小さくする。なお、このような容器用蓋の組立部は、図３Ｄに示される立方体の形状に限定されず、直方体、円柱、三角柱、六角柱又は他の多角柱のいずれか一つとしてもよい。
【００３１】
図４Ａ及び４Ｂは、本考案の第１の実施形態による各種の容器用蓋と他の知育玩具とを組み立てた後の立体図である。
【００３２】
容器用蓋１００は、組立部１２０のボス１２１／凹孔１２２により他の容器用蓋又は知育玩具の凹孔１２２／ボス１２１と上下に組み立てられ、組立部１２０のリブ条１２３／凹溝１２４により他の容器用蓋又は知育玩具の凹溝１２４／リブ条１２３と側方向に組み立てられる。このような構成により、容器用蓋は、図４Ａに示されるように同類の容器用蓋と組み立てることができるだけでなく、図４Ｂに示されるように他の知育玩具と組み立てることもでき、組立の多様性と楽しさが向上する。
【第２の実施形態】
【００３３】
図５Ａ〜５Ｃは、本考案の第２の実施形態による容器用蓋の組立効果の立体図を示す。
【００３４】
図５Ａ及び５Ｂに示されるように、容器用蓋２００は蓋部２１０と組立部２２０を備える。
【００３５】
蓋部２１０は、一般的に、薄肉円柱体又は薄肉円錐体に構成され、内面と外面を有し、内面には容器口の雄ねじと噛み合う雌ねじ２１１が設けられる。蓋部２１０の上部内面にはガイド部２１２がさらに設けられる。このガイド部は、雌ねじ２１１と同軸の薄肉円柱として設けられ、その外径が容器口の内部に収容可能であるため、ガイドの作用を果たすとともに、蓋部２１０の強度と剛性を向上させることができる。
【００３６】
組立部２２０は、蓋部２１０の外面を囲むように設けられる。組立部２２０は、複数の円柱２２１及び蓋部２１０と複数の円柱２２１との間に設けられる複数の補強リブ２２２を備える。補強リブ２２２は、容器用蓋１００の剛性と強度を向上させるとともに重量を軽減することができる。組立部２２０の円柱体２２１は８個又は１０個設けられることが好ましいが、これに限定されず、例えば、４〜７個又は９個などあってもよい。複数の円柱２２１は蓋部２１０と同軸に配置され、各円柱２２１の上端面には１つのボス２２３が設けられ、下端面にはボス２２３に対応する凹孔２２４が設けられる。ボス２２３は中空のものとしてもよく、円柱２２１も中空のものとしてもよい。この場合、凹孔２２４は円柱２２１の端部である。隣接する２つの円柱２２１には組立凹溝２２５が形成される。
【００３７】
容器用蓋２００は偽造防止部材２３０をさらに備える。偽造防止部材２３０は、蓋部２１０の端面に沿って外部又は前方に延伸し、偽造防止部材２３０の蓋部２１０の端面と接合する位置には複数の環状溝２３１が設けられて、偽造防止部材２３０と容器用蓋２００との係合の強度を低下させる。偽造防止部材２３０の内面には、容器口の外円周面と係合する複数の突起２３２が設けられる。図５Ｂに示されるように、突起２３２は、雌ねじの螺合の向きに沿って薄くなる傾斜面を有してもよい。容器用蓋２００を緩めるとき、環状溝２３１で偽造防止部材２３０が切断されて容器口の外円周面に残ることによって、容器内の内容物の盗難を防止することができる。
【００３８】
図５Ａ及び５Ｂに示されるように、第１の実施形態と同様に、容器用蓋２００の蓋部は小口径の寸法（例えば、８ｍｍ〜１５ｍｍ）に設定されてもよく、吸込ゼリー又はソースを収容する容器に適用することができる。図５Ｃに示されるように、容器用蓋２００’の蓋部２１０’は大口径の寸法（例えば、１５ｍｍ〜２５ｍｍ）であってもよく、鉱泉水又は化粧品などを収容する容器に適用することができ、様々な容器の組み合わせ要求に適すると同時に容器用蓋全体の寸法をできるだけ小さくすることができる。
【００３９】
図６に示されるように、容器用蓋２００は、組立部２２０のボス２２３／凹孔２２４により他の容器用蓋又は知育玩具の凹孔２２４／ボス２２３と上下に組み立てられ、組立部２２０の組立凹溝２２５により他の容器用蓋又は知育玩具の組立凹溝２２５と側方向に組み立てられる。
【００４０】
本考案の容器用蓋１００又は容器用蓋２００は、プラスチック材料を用いて射出成形してもよく、金属材料を用いて形成してもよいが、これらに限定されるものではない。
本考案の容器用蓋１００又は容器用蓋２００は、様々な組立効果を達成することができ、容器用蓋に対する人々の注目を大幅に向上させ、容器用蓋の収集の楽しみを高め、効果的に資源の浪費を低減することができる。
【００４１】
さらに、本考案の実施形態では、上記のような容器用蓋１００又は容器用蓋２００を含む容器も提供する。
【００４２】
上記の説明は、本考案の好ましい実施形態及び使用される技術的原理の説明に過ぎない。当業者であれば、本考案の範囲は、上述した技術的特徴の特定の組み合わせに限定されず、本考案の技術的思想から逸脱することなく、上述した技術的特徴又はそれと同等の特徴が任意に組み合わせられてなる他の技術案も含む。例えば、上記特徴を、本出願に開示された（しかし、これに限定されない）類似の機能を有する技術的特徴と互いに置き換えた技術案も包含される。
【図１Ａ】
0003214932.tif 000003
【図１Ｂ】
0003214932.tif 000004
【図２】
0003214932.tif 000005
【図３Ａ】
0003214932.tif 000006
【図３Ｂ】
0003214932.tif 000007
【図３Ｃ】
0003214932.tif 000008
【図３Ｄ】
0003214932.tif 000009
【図４Ａ】
0003214932.tif 000010
【図４Ｂ】
0003214932.tif 000011
【図５Ａ】
0003214932.tif 000012
【図５Ｂ】
0003214932.tif 000013
【図５Ｃ】
0003214932.tif 000014
【図６】
0003214932.tif 000015